(57)【要約】【課題】画像観察者の目視評価に依存した上記の方法では、人が大量の画像を観察して評価しなければならないため莫大なコストがかかってしまう。【解決手段】  予め設定された印刷条件に従い、異なる色の間で金属光沢の色味の差異を低減させる色領域を設定し、所定の色度の印刷媒体について金属光沢の色味を測定する（１０４３）。その測定した金属光沢測定値を保持し（１０３３）、色領域の異なる色の間で、保持している金属光沢測定値に基づき、当該測定値の差異を低減させる色分解データを生成する（１０２２）。【選択図】  図１
2007288270.tif 000002
【特許請求の範囲】
【請求項１】
印刷装置で用いる、特色記録剤を含む記録剤に対応した色分解データを、所定の色域について生成する画像処理方法であって、
予め設定された印刷条件に従い、異なる色の間で金属光沢の色味の差異を低減させる色領域を設定する色領域設定工程と、
所定の色度の印刷媒体について金属光沢の色味を測定する金属光沢測定工程と、
前記金属光沢測定工程で測定した金属光沢測定値を保持する金属光沢保持工程と、
前記色領域の異なる色の間で、前記金属光沢保持工程で保持する金属光沢測定値に基づき、当該測定値の差異を低減させる色分解データを生成する色分解データ生成工程と、
を備えることを特徴とする画像処理方法。
【請求項２】
前記金属光沢測定工程は、前記印刷媒体の正反射光の色味を測定することを特徴とする請求項１に記載の画像処理方法。
【請求項３】
前記印刷条件は、前記色領域設定工程で設定された金属光沢の色味の差異を低減させる色領域の情報であることを特徴とする請求項１又は２に記載の画像処理方法。
【請求項４】
色分解データを用いて、画像データを印刷装置における印刷用データに変換して出力する画像処理装置であって、
前記印刷装置により印刷可能な印刷条件を含む複数の印刷条件下で印刷された複数の画像の特性データを記憶する記憶手段と、
入力した画像データの各画素データ値に基づく色分布を生成する色分布生成手段と、
前記印刷装置で画像が印刷される印刷条件と前記入力した画像データの色分布とに応じて、印刷される画像の金属光沢の色味の差異を低減させる特性データを前記記憶手段から抽出して色分解データを生成する色分解データ生成手段と、
を有することを特徴とする画像処理装置。
【請求項５】
色分解データを用いて、画像データを印刷装置における印刷用データに変換して出力する画像処理装置であって、
前記印刷装置により印刷可能な印刷条件を含む複数の印刷条件下で印刷された複数の画像の特性データを記憶する記憶手段と、
入力した画像の属性を指示する指示手段と、
前記印刷装置で画像が印刷される印刷条件と前記指示手段により指示された前記画像の属性とに応じて、印刷される画像の金属光沢の色味の差異を低減させる特性データを前記記憶手段から抽出して色分解データを生成する色分解データ生成手段と、
を有することを特徴とする画像処理装置。
【請求項６】
複数色度の印刷媒体に対して複数の色材で印刷した各画像の金属光沢の色味を測定する金属光沢測定手段と、
前記金属光沢測定手段で測定された金属光沢の測定値に基づいて、当該測定値と前記各画像に対応する画像データとの差異を低減させる前記特性データを生成する手段とを更に有することを特徴とする請求項４又は５に記載の画像処理装置。
【請求項７】
前記金属光沢測定手段は、前記印刷媒体の正反射光の色味を測定することを特徴とする請求項６に記載の画像処理装置。
【請求項８】
前記印刷条件は、前記印刷媒体の種類、前記印刷媒体への印刷に使用する色材の種類の少なくともいずれかを含むことを特徴とする請求項４又は５に記載の画像処理装置。
【請求項９】
前記印刷条件を指定するユーザインタフェースを更に有することを特徴とする請求項５乃至８のいずれか１項に記載の画像処理装置。
【請求項１０】
色分解データを用いて、画像データを印刷装置における印刷用データに変換して出力する画像処理方法であって、
入力した画像データの各画素データ値に基づく色分布を生成する色分布生成工程と、
前記印刷装置で画像が印刷される印刷条件と前記入力した画像データの色分布とに応じて、印刷される画像の金属光沢の色味の差異を低減させる特性データを、前記印刷装置により印刷可能な印刷条件を含む複数の印刷条件下で印刷された複数の画像の特性データを記憶するメモリから抽出して色分解データを生成する色分解データ生成工程と、
を有することを特徴とする画像処理方法。
【請求項１１】
色分解データを用いて、画像データを印刷装置における印刷用データに変換して出力する画像処理方法であって、
入力した画像の属性を指示する指示工程と、
前記印刷装置で画像が印刷される印刷条件と前記指示工程により指示された前記画像の属性とに応じて、印刷される画像の金属光沢の色味の差異を低減させる特性データを、前記印刷装置により印刷可能な印刷条件を含む複数の印刷条件下で印刷された複数の画像の特性データを記憶するメモリから抽出して色分解データを生成する色分解データ生成工程と、
を有することを特徴とする画像処理方法。
【請求項１２】
複数色度の印刷媒体に対して複数の色材で印刷した各画像の金属光沢の色味を測定する金属光沢測定工程と、
前記金属光沢測定工程で測定された金属光沢の測定値に基づいて、当該測定値と前記各画像に対応する画像データとの差異を低減させる前記特性データを生成する工程とを更に有することを特徴とする請求項１０又は１１に記載の画像処理方法。
【請求項１３】
前記金属光沢測定工程は、前記印刷媒体の正反射光の色味を測定することを特徴とする請求項１２に記載の画像処理方法。
【請求項１４】
前記印刷条件は、前記印刷媒体の種類、前記印刷媒体への印刷に使用する色材の種類の少なくともいずれかを含むことを特徴とする請求項１０又は１１に記載の画像処理方法。
【請求項１５】
前記印刷条件を指定するユーザインタフェースを更に有することを特徴とする請求項１０乃至１４のいずれか１項に記載の画像処理方法。
【発明の詳細な説明】
【技術分野】
【０００１】
本発明は、色分解データを用いて、画像データを印刷装置における印刷用データに変換して出力する画像処理装置及びその方法に関する。
【背景技術】
【０００２】
ワードプロセッサ、パーソナルコンピュータ、ファクシミリ等における画像形成装置には種々の方式のものがある。その中でも記録媒体に記録剤を付着することでテキストや画像を印刷する方式が実用化されており、このような印刷方式の代表例として、インクジェットプリンタがある。このようなインクジェットプリンタは、プリントヘッドから吐出されるインクドットの空間的な配置によって中間階調を表現している。このため、ドット密度が小さい領域、即ち、ハイライト部では印刷されたドットが視覚的に目立って粒状性を目立たせるという問題がある。
【０００３】
そこで、特許文献１に示されるように、従来の基本色材色（ＣＭＹＫ）からなる４色に加えＬｃ（ライトシアン）、Ｌｍ（ライトマゼンタ）という淡い色の色材を用いてハイライト部の粒状性を目立たなくする技術が用いられている。
【０００４】
また、近年のカラーインクジェットプリンタの急速な普及に伴い、より高画質な画像への要求が高まってきた。特にプリンタが再現できる色領域を拡張させて、より鮮やかな画像を印刷することが求められている。このような色再現域を拡大する際、ＣＭＹの３色の内、各１色で再現できる色領域は、個々の色材の発色特性や色材濃度を改善することによって拡張できる。しかし、２色以上の記録剤で形成されるＲ，Ｇ，Ｂ領域の内、特に彩度の高い色領域に対しては、従来のＣＭＹＫの４色だけでは色再現領域に限界がある。従って、このような色再現領域の拡張に際して特許文献２には、ＣＭＹＫの４色の基本色材に加えて、減法混色の３原色以外の高彩度な色、即ち、特色インクを追加して画像を形成する方法が開示されている。
【０００５】
一方、カラーインクジェットプリンタにおける画質の向上に伴い、カラーインクジェットプリンタを用いたデジタル画像の印刷、いわゆる写真印刷が一般的になっている。このような写真印刷が一般的になるにつれ、印刷された印刷物の保存性が重要視されている。従来、インクジェットプリンタにおける記録剤としては主に染料インクが用いられてきたが、染料インクは保存性が低いため保存性の高い顔料インクが使用されることがある。この顔料インクを使用して印刷すると、その印刷物の表面に映り込んだ照明の像に、照明本来の色と異なる金属光沢を帯びた色が観察されるブロンジングと呼ばれる現象が発生することが知られている。そこで、このブロンジングの発生を抑制するために、特許文献３のように、黒色レベルとＵＣＲ率を変更したパッチ画像群から、最もブロンジングが発生しないパッチを打ち込み率毎に目視で設定し、ブロンジングの発生しにくい色分解を決定する方法が提案されている。更に、異なる色度で色味の異なるブロンジングが観察されるブロンズムラと呼ばれる現象がある。
【特許文献１】特開２００２−０５９５７１号公報
【特許文献２】特開２００１−１３６４０１号公報
【特許文献３】特開２００１−１３８５５５号公報
【発明の開示】
【発明が解決しようとする課題】
【０００６】
上述したように、近年のカラーインクジェットプリンタで使用される色材の増加に伴い、所望の色を再現するため２色以上の色材を用いる場合に、それら色材の組み合わせの数が増大している。これら色材の組み合わせによって、印刷画像で観察されるブロンジングの大小が異なる。所望の色を再現するために複数の色材の組み合わせから最適な組み合わせを選択するために、粒状性の評価値及び再現できる色領域の大きさの評価値から、色材の組み合わせを決定する技術は既に用いられている。
【０００７】
また印刷に際しては、単純にブロンジングの発生量が小さければ良いというわけではなく、再現する色度の相違で色味の異なるブロンジングが発生し、複数の色によって構成される印刷画像の画質が損なわれるという問題点があった。即ち、ブロンズムラの抑制も重要視されている。これにより粒状性などの画質の決定要素と同様に、上述した特許文献３のように、ブロンジングの抑制を考慮した色分解方法が提案されている。
【０００８】
しかしながら、画像観察者の目視評価に依存した上記の方法では、人が大量の画像を観察して評価しなければならないため莫大なコストがかかってしまう。また画像観察者の体調の変化や画像観察者の交替によって安定した評価値が得られないという問題がある。また上述の方法によりブロンジングがある程度抑制されるものの、画質劣化の重大な要因となるブロンズムラを抑制できないという問題点もある。
【０００９】
本発明の目的は、上記従来技術の問題点を解決することを目的としている。
【００１０】
本願発明の特徴は、印刷条件及び印刷対象の画像データに応じて最適な色分解をうことができるようにすることにある。
【課題を解決するための手段】
【００１１】
上記目的を達成するために本発明の一態様に係る画像処理装置は以下のような構成を備える。即ち、
色分解データを用いて、画像データを印刷装置における印刷用データに変換して出力する画像処理装置であって、
前記印刷装置により印刷可能な印刷条件を含む複数の印刷条件下で印刷された複数の画像の特性データを記憶する記憶手段と、
入力した画像データの各画素データ値に基づく色分布を生成する色分布生成手段と、
前記印刷装置で画像が印刷される印刷条件と前記入力した画像データの色分布とに応じて、印刷される画像の金属光沢の色味の差異を低減させる特性データを前記記憶手段から抽出して色分解データを生成する色分解データ生成手段と、
を有することを特徴とする。
【００１２】
上記目的を達成するために本発明の一態様に係る画像処理装置は以下のような構成を備える。即ち、
色分解データを用いて、画像データを印刷装置における印刷用データに変換して出力する画像処理装置であって、
前記印刷装置により印刷可能な印刷条件を含む複数の印刷条件下で印刷された複数の画像の特性データを記憶する記憶手段と、
入力した画像の属性を指示する指示手段と、
前記印刷装置で画像が印刷される印刷条件と前記指示手段により指示された前記画像の属性とに応じて、印刷される画像の金属光沢の色味の差異を低減させる特性データを前記記憶手段から抽出して色分解データを生成する色分解データ生成手段と、
を有することを特徴とする。
【００１３】
上記目的を達成するために本発明の一態様に係る画像処理方法は以下のような工程を備える。即ち、
色分解データを用いて、画像データを印刷装置における印刷用データに変換して出力する画像処理方法であって、
入力した画像データの各画素データ値に基づく色分布を生成する色分布生成工程と、
前記印刷装置で画像が印刷される印刷条件と前記入力した画像データの色分布とに応じて、印刷される画像の金属光沢の色味の差異を低減させる特性データを、前記印刷装置により印刷可能な印刷条件を含む複数の印刷条件下で印刷された複数の画像の特性データを記憶するメモリから抽出して色分解データを生成する色分解データ生成工程と、
を有することを特徴とする。
【００１４】
上記目的を達成するために本発明の一態様に係る画像処理方法は以下のような工程を備える。即ち、
色分解データを用いて、画像データを印刷装置における印刷用データに変換して出力する画像処理方法であって、
入力した画像の属性を指示する指示工程と、
前記印刷装置で画像が印刷される印刷条件と前記指示工程により指示された前記画像の属性とに応じて、印刷される画像の金属光沢の色味の差異を低減させる特性データを、前記印刷装置により印刷可能な印刷条件を含む複数の印刷条件下で印刷された複数の画像の特性データを記憶するメモリから抽出して色分解データを生成する色分解データ生成工程と、を有することを特徴とする。
【発明の効果】
【００１５】
本発明によれば、印刷対象の画像や印刷条件に応じて最適な色分解をうことができるという効果がある。
【発明を実施するための最良の形態】
【００１６】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１７】
[実施の形態１]
図１は、本発明の実施の形態に係る画像処理装置の構成を示すブロック図である。
【００１８】
ＵＩ部１０１０は、この画像処理装置を使用するユーザが画像を出力する際に、ブロンズ（金属光沢）ムラの抑制方法を選択するのに使用される。このＵＩ部１０１０は、ブロンズムラ抑制処理を実行するか否かをユーザが設定するブロンズムラ抑制設定部１０１１と、プリンタ等の画像出力部１０６０で使用される記録シート（記録媒体）をユーザが選択する記録媒体選択部１０１２と、入力画像の種類をユーザが選択する画像カテゴリ選択部１０１３と、画像入力部１０５０で入力された画像に基づいてＲＧＢなど入力信号値のヒストグラム（色分布）を作成するか否かをユーザが設定するヒストグラム作成部１０１４とを有している。
【００１９】
このＵＩ部１０１０の各機能の詳細な例は後述するが、ＵＩ部１０１０は、例えばプリンタ等の記録装置のドライバに実装されていても良い。また或は、記録装置のドライバとは別の色分解ＬＵＴ（ルックアップテーブル）生成用アプリケーションプログラムとして実装されていても良い。
【００２０】
色分解ＬＵＴ決定部１０２０は、ＵＩ部１０１０でユーザが選択した入力画像や記録媒体等の印刷条件に応じて、ブロンズムラを制御した最適な色分解ＬＵＴを作成するか、或は、予め定められた色分解ＬＵＴを参照するかを決定する。こうして画像出力部１０６０で画像を印刷する際に使用する色分解ＬＵＴを決定する。印刷条件格納部１０２１は、ＵＩ部１０１０で選択された印刷条件を格納する。この印刷条件は、印刷に使用する記録媒体（記録シート）の種類、使用する色材（インク、トナー等）、後述するブロンズムラを抑制する色領域に関する情報を含む。色分解ＬＵＴ生成部１０２２は、印刷条件格納部１０２１に格納された印刷条件と、データ保持部１０３０に格納されている色材情報、記録媒体情報、ブロンジング情報から色分解ＬＵＴを生成する。色分解ＬＵＴ格納部１０２３は、色分解ＬＵＴ生成部１０２２で生成された色分解ＬＵＴ、或は、予め基本色分解ＬＵＴ保持部１０３４に格納されている色分解ＬＵＴを格納する。色分解ＬＵＴ格納部１０２３に格納された色分解ＬＵＴを使用して、入力した画像データを色分解し、その色分解した画像データに基づいて画像出力部１０６０にてブロンズムラを制御した画像を印刷する。この画像出力部１０６０は、本実施の形態ではプリンタであり、入力したカラー画像データに基づいてカラー画像を印刷する。ここで色分解は、ＲＧＢ等の画像データを画像出力部１０６０で出力する色成分のデータに分解する処理を指す。
【００２１】
データ保持部１０３０は、画像出力部１０６０で使用される記録媒体や色材の情報、或は、その記録媒体と色材の組み合わせで発生するブロンジング特性を予めデータとして保持している。記録媒体データ保持部１０３１は、画像出力部１０６０で使用される記録媒体の種類を保持する。色材データ保持部１０３２は、画像出力部１０６０で使用される全ての色材（インクやトナーなど）の種類を保持する。ブロンジング特性保持部１０３３は、記録媒体データ保持部１０３１で保持される記録媒体の種類と、色材データ保持部１０３２で保持される色材の種類との組み合わせによって発生するブロンジングの特性を保持する。また基本色分解ＬＵＴ保持部１０３４は、ブロンズムラ抑制設定部１０１１にてブロンズムラ抑制処理を行わないとユーザが決定した際に、使用する色分解ＬＵＴを予め保持する。一般に、ブロンズムラとその他の画質要素（粒状性や階調性など）との関係はトレードオフになっている場合が多い。そのため、ブロンズムラの発生よりも、その他の画質要素を重視する場合には、ブロンズムラ抑制設定部１０１１にてブロンズムラ抑制処理を行わないと設定される場合もある。この場合の色分解ＬＵＴは、例えば粒状性の向上を重視した色分解ＬＵＴである。尚、ここで重視する画質項目としては階調性や色再現領域などでも良く、粒状性に限定されるものではない。
【００２２】
ブロンジング測定部１０４０は、ブロンジング特性保持部１０３３で保持するブロンジング特性を測定する。まずパッチデータ生成部１０４１で、記録媒体データ保持部１０３１で保持する記録媒体の種類と、色材データ保持部１０３２で保持する色材の種類との全ての組み合わせに対して、所定の色度を再現するための色材の組み合わせを求める。ＣＭＹＫの基本色以外に、基本色より淡い色の色材である淡シアンや淡マゼンタ、或は、レッド、グリーン、ブルー等の特色の色材を備える場合、所定の色度を再現する色材の組み合わせは多数存在する。そこで、パッチデータ生成部１０４１で各色材を一定量変化させたパッチデータを作成し、パッチ出力部１０４２で、そのパッチデータを画像出力部１０６０を使用して印刷する。こうして印刷したパッチ画像をパッチ測色部１０４４で測色し、ブロンジング特性測定部１０４３でブロンジングの特性を測定する。つまりブロンジング測定部１０４０で、所定の記録媒体、所定の色材量の組み合わせに対応した測色値、ブロンジング特性を取得できる。こうして得られたブロンジング特性データは、ブロンジング特性保持部１０３３に保持される。尚、このブロンジング測定部１０４０による処理は、画像出力部１０６０を別の機種に変更した場合、或は同じ機種であっても所定期間ごと、或は使用する色材が変更された場合などに適宜実行される。こうして得られた特性データが、ブロンジングを抑制する色分解テーブルの作成に使用される。
【００２３】
ここで記録媒体としては、光沢紙、普通紙、アート紙などの用紙が考えられるが、本発明はこれに限定されるものではない。また上述した色材は、染料インク、顔料インク、トナーなどが考えられるが、本発明はこれに限定されるものではない。更に、本実施の形態における記録装置（画像出力部１０６０）は、インクジェット方式のプリンタや複合機、または、電子写真方式のプリンタや複写機などであるが、例えば熱転写方式のプリンタなどでも良く、記録装置は限定されるものではない。
【００２４】
図２は、本実施の形態に係る画像処理装置のハードウェア構成を説明するブロック図である。
【００２５】
図において、ＣＰＵ２０１は、ＲＡＭ２０２及びＲＯＭ２０３に記憶されたプログラムに従ってこの情報処理装置全体の動作を制御している。ＲＡＭ２０２は、ＣＰＵ２０１のメインメモリとして使用され、ＣＰＵ２０１により実行されるプログラムがロードされる。またこのＲＡＭ２０２は、ＣＰＵ２０１による制御動作時に各種データを一時的に保存するワークエリアを提供している。ＲＯＭ２０３は、ブートプログラムや各種データを不揮発に記憶している。入力部２０５はキーボード、マウス等のポインティングデバイスを有し、ユーザの操作により各種データやコマンドを入力するのに使用される。表示部２０４は、ＣＲＴや液晶などの表示ユニットを有し、処理対象のデータや後述するＵＩ画面等の表示に使用される。外部記憶装置（ＨＤ）２０６は大容量の記憶装置で、ここにはＯＳ、各種アプリケーションプログラムやプリンタドライバ、及びデータなどが予めインストールされている。そして、そのプログラムの起動が指示されると、プログラムはＲＡＭ２０２にロードされて実行される。ネットワークインターフェース２０７は、ＬＡＮ等のネットワーク２１０とのインターフェースを制御している。このネットワーク２１０には、複数のプリンタ２１１や各種入出力機器が接続されている。入出力ポート２０８は、例えばＵＳＢやＩＥＥＥ１３９４などのインターフェースで、図１に示す画像出力部１０６０や画像入力部１０５０等と接続している。
【００２６】
＜ＵＩ部１０１０の詳細＞
次に図３及び図４を参照して、本実施の形態に係るＵＩ部１０１０を詳細に説明する。尚、ＧＵＩ上でユーザに指定された命令の処理の内容の詳細は後述する。尚、このＵＩ部１０１０は、図２の入力部２０５及び表示部２０４により実現されている。
【００２７】
図３は、本実施の形態において、表示部２０４に表示される印刷条件を選択するグラフィカルユーザインタフェース（ＧＵＩ）の一例を示す図である。この画面を使用した各種設定は、入力部２０５のキーボードやポインティングデバイスを使用して行われる。これは図４のＧＵＩに関しても同様である。
【００２８】
３０１は、本実施の形態に係るＧＵＩの基本ウィンドウである。入力テキストボックス３０２は、所望の画像データを指定するのに使用される。ここには画像データのファイル名などが入力される。コンボボックス３０３は、画像出力部１０６０で印刷する際に使用する記録媒体を選択するのに使用される。このコンボボックス３０３は、本実施の形態において使用可能な全ての種類の記録媒体から任意の記録媒体を選択できる。グループボックス３０４は、ラジオボタン３０５，３０６のいずれかを二者択一で選択するためのボタンである。ラジオボタン３０５は、ブロンズムラの抑制処理をしないモードを選択するためのボタンである。このラジオボタン３０５が選択状態（チェック）になっていれば、ブロンズムラ抑制処理をしない基本色分解ＬＵＴで印刷される。ラジオボタン３０６は、ブロンズムラの抑制処理を行うモードを選択するためのボタンである。このボタン３０６が選択（チェック）された後、ユーザがブロンズムラ抑制のため詳細にモードを選択できるように詳細設定ボタン３０７を備える。印刷ボタン３０８は、上記設定で印刷を指示するボタンである。キャンセルボタン３０９は、印刷の取消を指示するためのボタンである。
【００２９】
図４は、本実施の形態に係る、表示部２０４に表示されるブロンズムラの制御方法を選択するＧＵＩの一例を示す図である。
【００３０】
このウインドウ４０１は、図３の詳細設定ボタン３０７が指示（クリック）されることによりポップアップ形式等によって起動する、ブロンズムラ抑制処理の詳細を設定するためのウィンドウである。ラジオボタン４０２は、ブロンズムラを自動的に抑制するモードを選択するためのボタンである。ラジオボタン４０３は、ブロンズムラを目的別（画像の種類別）に指定するモードを選択するためのボタンである。グループボックス４０４は、ラジオボタン４０５，４０６のいずれかを二者択一で選択するためのボックスである。また図４には特に記載していないが、ラジオボタン４０２，４０３は二者択一になるように設定されている。ラジオボタン４０５，４０６は画像のカテゴリを選択するのに使用される。ラジオボタン４０５は「グラフィックス」モードを選択する。この「グラフィックス」モードとは、比較的高彩度領域の使用率の高い画像を出力するモードである。またラジオボタン４０６を選択すると「写真」モードで印刷される。コンボボックス４０７は、「写真」モードを選択した際に、詳細にモードを指定するのに使用される。ここで「写真」モードとは、比較的低彩度領域の使用率の高い画像を出力するモードである。コンボボックス４０７には、本実施の形態では、赤近傍の領域が比較的多く使用される「夕焼け」モードが例として図４に示されている。このモードとしては、例えば青近傍の領域が比較的多く使用される「海」モード、緑近傍の領域が比較的多く使用される「山」モード、肌色近傍の領域が比較的多く使用される「人物」モード等が挙げられる。またこれら以外にも、使用率の高い色領域ごとにモードを指定可能にすることが好ましい。更に、上述した「グラフィックス」モード、「写真」モード以外にも、再現する色領域全般においてブロンズムラを抑制するための「全般」モードを設定しても良い。ＯＫボタン４０８が指示されると、このウインドウ４０１を使用して設定された各種項目が基本設定に反映される。キャンセルボタン４０９は、このウインドウ４０１による設定を取り消して基本設定モードに戻す。
【００３１】
本実施の形態に係るＧＵＩにおいて、各ウィンドウに配置されるテキストボックス、コンボボックス、ラジオボタンなどは、所定の画像データ、記録媒体データ、印刷モードを選択できる機能を有するものであれば、上述したものに限らない。
【００３２】
また上記ＧＵＩの説明において、図３及び図４はそれぞれ別ウィンドウとして記載したが、上述した機能を有すれば良く、ウィンドウの数はいくつであっても問題ない。
【００３３】
＜ブロンジング測定部詳細＞
図５は、本実施の形態に係るブロンジング特性測定部１０４３におけるパッチ画像の測定方法を説明する図である。
【００３４】
照明機器５０１は、評価対象である印刷媒体５０３を照明する。この照明機器としては、ハロゲン電球、キセノンランプ、超高圧水銀ランプ、重水素ランプ、或はこれら光源いずれか複数を組み合わせたものでも良い。光検出器５０２は、評価対象となる印刷媒体５０３からの反射光を入力して検出する。この光検出器５０２に利用する検出器としては、単受光面形のフォトダイオード、光電管、光電子増倍管や、多素子受光面形のＳｉフォトダイオードアレイ、ＣＣＤ等であっても良い。この光検出器５０２は、回折格子やプリズムなどの分光する手段を備えても良い。またこの光検出器５０２は、印刷媒体５０３の法線方向に対して照明機器５０１と反対側に同一角度θだけ傾いた箇所、即ち、正反射方向に位置している。照明機器５０１、光検出器５０２にはそれぞれレンズ系を備える構成でも良い。試料固定台５０４は、評価対象となる印刷媒体５０３を載置して固定している。この試料固定台５０４は、例えば静電吸着やエアポンプによる吸引などの固定手段を備え、出来るだけ印刷媒体５０３を平らに保つことが望ましい。５０５は光検出器５０２が測定する被測定部である。また５０６は外部からの光を遮蔽するための遮光手段である。また光検出器５０７は、光検出器５０２と同一の光検出器である。５０８は光ファイバなどの光伝送手段である。この光伝送手段５０８により伝送された照明機器５０１からの光による照明情報は光検出器５０７で検出される。この照明情報の測定方法として、完全拡散反射体などの白色板、又は鏡面を測定対象としてその正反射光の分光強度を光検出器５０２で測定しても良い。また或は光伝送手段を介さず、照明光をビームスプリット等で分離し、光検出器５０２とは別の検出手段によって測定しても良い。
【００３５】
次に、こうして測定した印刷媒体５０３の正反射光から、ブロンジング特性を算出する方法を説明する。光検出器５０２によって測定される印刷媒体５０３からの正反射光の分光強度Ｒx(λ)から、以下の（１）式によって、正反射光の三刺激値ＸxＹxＺxを算出する。
【００３６】
Ｘx＝∫Ｒx(λ)ｘ＾(λ)ｄλ
Ｙx＝∫Ｒx(λ)ｙ＾(λ)ｄλ
Ｚx＝∫Ｒx(λ)ｚ＾(λ)ｄλ          ...式（１）
尚、積分区間はλ＝３８０〜７８０である。また「ｘ＾」は、ｘの上バー（逆数）を示し、他のｙ，ｚに関しても同様である。また、これらは以下の式（２）（３）においても同様である。
【００３７】
また式（１）において、図５の光学系では正反射光を測定しているため、例えば光沢紙のように艶の度合いが大きいものは正反射光の測定値のレンジは、光検出器５０７で測定される照明機器５０１（光源）の測定値に近くなる。つまり、光源からの光を直接測光する測定系に類似している。従って、通常の反射による物体色の三刺激値の算出とは異なり、正反射光の分光強度を光源の相対分光分布とみなし、光源色の三刺激値の算出方法に従う。式（１）のｘ＾(λ)，ｙ＾(λ)，ｚ＾(λ)は、JIS Z8782の等色関数である。また本実施の形態では、比例定数の乗算による正規化を行わないが、
Ｋ＝１００／∫Ｒx(λ)ｙ＾(λ)ｄλ        ...式（２）
を乗算する等の正規化を行って良い。
【００３８】
光検出器５０７で測定される照明の分光強度Ｓ(λ)から、以下の式（３）によって、照明の三刺激値ＸsＹsＺsを算出する。この式（３）は、光源色の三刺激値の算出方法に基づいており、上記照明の分光データから三刺激値ＸsＹsＺsを算出する変換式である。
【００３９】
Ｘs＝ｋ∫Ｓ(λ)ｘ＾(λ)ｄλ
Ｙs＝ｋ∫Ｓ(λ)ｙ＾(λ)ｄλ
Ｚs＝ｋ∫Ｓ(λ)ｚ＾(λ)ｄλ          ...式（３）
この式（３）のｘ＾(λ)，ｘ＾(λ)，ｘ＾(λ)は、JIS Z8782の等色関数である。また、式（３）のｋは比例定数で、三刺激値のＹsの値が測光量に一致するように定める。
【００４０】
次に光検出器５０２で検出された評価対象となる印刷媒体５０３の正反射の三刺激値ＸxＹxＺxと、光検出器５０７で検出された照明機器５０１の光の三刺激値ＸsＹsＺsとから、JIS Z8729に基づいて、物体５０３の正反射のＬ*ａ*ｂ*値を算出する。但し、JIS Z8729のの式（１）乃至式（４）におけるＸ，Ｙ，Ｚの値には、物体５０３の正反射光の三刺激値（Ｘx，Ｙx，Ｚx）を使用し、Ｘn，Ｙn，Ｚnの値には、光源の三刺激値（Ｘs，Ｙs，Ｚx）を使用する。即ち、ａ*，ｂ*の値は以下の（４）式によって算出される。
【００４１】
ａ*＝５００｛ｆ（Ｘx／Ｘs）−ｆ（Ｙx／Ｙs）｝
ｂ*＝２００｛ｆ（Ｙx／Ｙs）−ｆ（Ｚx／Ｚs）｝          ...式（４）
ここに、
Ｘx／Ｘs＞0.008856のとき、ｆ（Ｘx／Ｘs）＝（Ｘx／Ｘs）1/3
Ｘx／Ｘs≦0.008856のとき、ｆ（Ｘx／Ｘs）＝７．７８（Ｘx／Ｘs）＋１６／１１６
Ｙx／Ｙs＞0.008856のとき、ｆ（Ｙx／Ｙs）＝（Ｙx／Ｙs）1/3
Ｙx／Ｙs≦0.008856のとき、ｆ（Ｙx／Ｙs）＝７．７８（Ｙx／Ｙs）＋１６／１１６
Ｚx／Ｚs＞0.008856のとき、ｆ（Ｚx／Ｚs）＝（Ｚx／Ｚs）1/3
Ｚx／Ｚs≦0.008856のとき、ｆ（Ｚx／Ｚs）＝７．７８（Ｚx／Ｚs）＋１６／１１６
ブロンジングは映り込んだ照明機器５０１の像の明るさではなくその色味に関係するため、本実施の形態では、明るさを示す値であるＬ*の値は評価に用いない。本実施の形態では、回折格子等を利用した分光強度を用いてＬ*ａ*ｂ*値を算出する例を示したが、この光検出器５０２，５０７には、カラーフィルタなどを用いて三刺激値ＸＹＺを光電的に直読する方法を用いても良い。尚、分光強度は分光放射輝度等の他の分光特性値を用いても同一の議論が成立する。
【００４２】
図６は、上述したブロンジング特性の測定結果の一例を示す図である。
【００４３】
６０１は、本実施の形態において使用される画像出力部１０６０で印刷した、ある色度のパッチの測色値である。６０２は、各色材色を所定量組み合わせて、測色値が６０１になるよう調整したパッチのブロンジング特性である。６０３は、各色材色の種類や量を前記組み合わせとは異なる組み合わせで、測色値が６０１で示す値になるよう調整したパッチのブロンジング特性である。即ち、使用する色材色の種類と量の組み合わせによって、一般にブロンジングの特性は異なる。更に、記録媒体の種類によってもブロンジングの特性は異なる。
【００４４】
＜処理内容詳細＞
本実施の形態において図１のＵＩ部１０１０と、色分解ＬＵＴ決定部１０２０とで実行される処理の流れを、図７〜図１０を参照して詳細に説明する。
【００４５】
図７は、本実施の形態に係る画像処理装置で実行される基本処理を説明するフローチャートで、この処理を実行するプログラムは、ＨＤ２０６にインストールされており、実行時にはＲＡＭ２０２にロードされて実行される。
【００４６】
まずステップＳ１で、ＵＩ部１０１０を使用して、ユーザが印刷条件を入力する。この印刷条件とは、図３に記載のＧＵＩ上にて設定可能な、入力画像データ、記録媒体データ（種類）、ブロンズムラ抑制処理の実施有無の情報を含む。更に、ブロンズムラ抑制処理を実施する際における、自動処理と、手動設定で任意のモードを選択するブロンズムラ抑制処理情報、更には、手動設定の際に任意の画像カテゴリを選択する画像カテゴリ情報の設定が含まれる（図４）。
【００４７】
次にステップＳ２に進み、ステップＳ１で入力された印刷条件に基づいて、ブロンズ抑制処理を実施するか否かを判定する。ここでブロンズ抑制処理を実施する場合はステップＳ３に進み、ブロンズ抑制処理を実施して所定の色分解ＬＵＴを作成する。このステップＳ３における詳細な処理内容は後述する。
【００４８】
一方、ステップＳ２で、ブロンズ抑制処理を実施しない場合はステップＳ４に進み、図１の基本色分解ＬＵＴ保持部１０３４に予め保持している基本色分解ＬＵＴを読み込む。こうしてステップＳ３或はＳ４の実行後ステップＳ５に進み、ステップＳ３で作成した色分解ＬＵＴ、或はステップＳ４で読み込んだ色分解ＬＵＴを色分解ＬＵＴ格納部１０２３に格納する。
【００４９】
図８は、図７のステップＳ３におけるブロンズ抑制処理の内容の詳細を記載したフローチャートである。
【００５０】
まずステップＳ１１で、画像入力部１０５０から入力した画像データをＲＡＭ２０２の画像バッファに格納する。この入力画像は、図３の３０２で指定された画像データである。次にステップＳ１２で、図４のラジオボタン４０２で「自動処理」が選択されたか否かを判定する。「自動処理」が選択されるとステップＳ１３に進み、ステップＳ１１で格納した画像バッファの画像データに基づいて、その画像データ値のヒストグラムを作成する。ここでの入力信号値は、例えばＲＧＢ空間で表されるＲＧＢ信号値であるが、所定の変換式を用いてＣＩＥ−Ｌａｂ空間におけるＬ*ａ*ｂ*値などに変換したものであっても良い。次にステップＳ１４に進み、ステップＳ１（図７）で入力した記録媒体の種類と、ステップＳ１３で作成した入力信号値のヒストグラムとに対応した色分解ＬＵＴを作成する。ステップＳ１４では、ブロンジング測定部１０４０で測定されてブロンジング特性保持部１０３３に保持されている各種色材や記録媒体を使用したブロンジング特性の中から、入力画像と印刷条件との関係で最もブロンジング効果が少ないと特性データを抽出する。こうして抽出した特性データに基づいて色分解ＬＵＴデータの各テーブル値を作成して色分解ＬＵＴを作成する。
【００５１】
一方、ステップＳ１２で、「自動処理」が選択されていない場合はステップＳ１５に進み、ステップＳ１で入力された記録媒体の種類と、図４の４０４で指定された画像のカテゴリとに対応した色分解ＬＵＴを作成する。ステップＳ１２では、ブロンジング測定部１０４０で測定されてブロンジング特性保持部１０３３に保持されている各種色材や記録媒体を使用したブロンジング特性の中から、画像カテゴリと印刷条件との関係で最もブロンジング効果が少ないと特性データを抽出する。こうして抽出した特性データに基づいて色分解ＬＵＴデータの各テーブル値を作成して色分解ＬＵＴを作成する。
【００５２】
次に図９を参照して、ユーザが選択した画像のカテゴリや、入力画像について各画素の入力信号値のヒストグラムに対応した代表点を決定する方法を説明する。
【００５３】
図９は、本実施の形態において、ユーザが選択したモードに応じたブロンズムラ抑制処理を施す領域を示す概念図である。ここでは代表点の色分解決定方法を、図４の４０７において「海」モードが選択された場合を例に挙げて説明する。
【００５４】
９０１は、本実施の形態に係る画像出力部１０６０の色再現領域をＣＩＥ−Ｌａｂ空間の所定のＬ*におけるａ*ｂ*平面上で示している。９０２は、「海」モードが選択された際に使用率が高い色領域を示している。この色領域９０２は、各モードに対応して予め設定されている。この色領域９０２の出現頻度が高い画像を印刷する際に、ブロンズムラを抑制するための色分解ＬＵＴを作成するため以下の処理を実施する。９０３〜９０６は測色値である。色領域９０２の領域内にある点９０３，９０４，９０５の代表点間のブロンズムラを抑制するための各代表点の色分解を決定する。また色領域９０２の領域外にある点９０６に対しては、粒状性や階調性等といったその他の画質要素を考慮して予め決められた色分解を用いる。前述の図８のステップＳ１４におけるブロンズムラを抑制する領域の設定方法は、入力画像の信号値のヒストグラムから、出現頻度の高さに応じて所定の閾値を上回る範囲を抑制する領域とする。
【００５５】
図１０は、図９の色領域９０２に示す、ブロンズムラを抑制する領域における各代表点の色分解の決定方法を説明する図である。尚、ここで図９の点９０３〜９０６のそれぞれに対応する点は同じ記号で示している。
【００５６】
ここで点９０３〜９０５はブロンズムラを抑制する領域内、９０６はブロンズムラを抑制する領域外の測色値である。１００５〜１００８はそれぞれ点９０３，９０４，９０５，９０６に対応したブロンジング特性の出現範囲を示している。破線で示した領域内の●（黒丸）は、使用する色材色の種類と量の組み合わせにより、異なる色味で発生したブロンジング特性を示している。１００５，１００６，１００７においてブロンズムラが最小となる（即ち、ブロンジング特性の色度が最も近くなる）色分解を、それぞれ代表点として決定する。ブロンズムラを抑制する領域外にある点９０６は、ブロンズムラの抑制は考慮せず予め決められた色分解を用いる。
【００５７】
また図４のＧＵＩの説明において、「全般」モードの例を挙げたが、色再現領域の全般に対して代表点を設定し、その代表点間のブロンズムラが最小になるよう予め色分解ＬＵＴを作成しておき、そのＧＵＩ上にて設定できるようにしても良い。
【００５８】
これら代表点に対して各色材の使用量の組み合わせが決定された後、近傍の代表点の色分解に基づき所望の補間処理を行うことで、色分解ＬＵＴを作成する。
【００５９】
上述したように、ユーザが選択した画像のカテゴリや、入力画像データ値のヒストグラムによって、出力画像のブロンズムラを抑制するための色分解ＬＵＴを決定する。
【００６０】
また処理速度の問題から、図４の４０２での「自動」処理の場合を除き、印刷モードに対応した複数の色分解ＬＵＴを予め保持しておくことが望ましい。しかし、自動処理の場合同様に印刷の際に色分解ＬＵＴを作成しても構わない。
【００６１】
（他の実施形態）
以上、本発明の実施形態について詳述したが、本発明は、複数の機器から構成される文書検索システムに適用しても良いし、また、一つの機器からなる文書検索装置に適用しても良い。
【００６２】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００６３】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００６４】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６５】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６６】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００６７】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００６８】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【００６９】
以上説明したように本実施の形態によれば、画像や記録媒体に応じてブロンズムラを制御する色分解方法を決定することが可能となる。更に、画像や記録媒体に応じてブロンズムラを抑制するための所望のモードをユーザに選択させることが可能となる。
【図面の簡単な説明】
【００７０】
【図１】本発明の実施の形態に係る画像処理装置の構成を示すブロック図である。
【図２】本実施の形態に係る画像処理装置のハードウェア構成を説明するブロック図である。
【図３】本実施の形態において、表示部に表示される印刷条件を選択するグラフィカルユーザインタフェース（ＧＵＩ）の一例を示す図である。
【図４】本実施の形態に係る、表示部に表示されるブロンズムラの制御方法を選択するＧＵＩの一例を示す図である。
【図５】本実施の形態に係るブロンジング特性測定部における測定方法を説明する図である。
【図６】本実施の形態に係るブロンジング特性の測定結果の一例を示す図である。
【図７】本実施の形態に係る画像処理装置で実行される基本処理を説明するフローチャートである。
【図８】図７のステップＳ３におけるブロンズムラ抑制処理の内容の詳細を記載したフローチャートである。
【図９】本実施の形態において、ユーザが選択したモードに応じたブロンズムラ抑制処理を施す領域を示す概念図である。
【図１０】図９の色領域に示す、ブロンズムラを抑制する領域における各代表点の色分解の決定方法を説明する図である。
【図１】
2007288270.tif 000003
【図２】
2007288270.tif 000004
【図３】
2007288270.tif 000005
【図４】
2007288270.tif 000006
【図５】
2007288270.tif 000007
【図６】
2007288270.tif 000008
【図７】
2007288270.tif 000009
【図８】
2007288270.tif 000010
【図９】
2007288270.tif 000011
【図１０】
2007288270.tif 000012